(57)【要約】【課題】  洗浄水を用いることなく、メダルの表面の凹凸模様や傷の窪みに溜まっている手垢や金属粉等の汚れを確実に除去する。【解決手段】  メダル投入口２の下方位置にメダル排出口５ａが側面に開口された筒体５を設け、メダル投入口２の下端にブラシ毛３ａが下面に植毛された上側ブラシ盤３を取り付け、筒体５の内部にブラシ毛４ａが上面に植毛された下側ブラシ盤４をブラシ毛３ａ，４ａが対向するように回転自在に設け、メダル排出口５ａの先方の搬送路６の位置にメダルｍの表面の汚れを掻き出す上下一対のブラシローラ１１を設け、そのブラシローラ１１の先方の搬送路６の位置に掻き出された汚れを吸着する上下一対の粘着ローラ１２を設ける。【選択図】  図５
2011067257.tif 000002
【特許請求の範囲】
【請求項１】
メダル投入口の下方位置に複数枚のメダルを重ならないようにして送り出すメダル送り装置を設け、そのメダル送り装置の送り先の搬送路位置にメダルの表面の汚れを掻き出す上下一対のブラシローラを設け、そのブラシローラの先方の搬送路位置に掻き出された汚れを吸着する上下一対の粘着ローラを設けた、乾式メダル清掃装置。
【請求項２】
粘着ローラより粘着力の強い強粘着ローラを粘着ローラと接するように設けた、請求項１記載の乾式メダル清掃装置。
【請求項３】
上下一対のブラシローラのブラシ毛が、線径０．４ｍｍ以下で、長さ５〜１３ｍｍの範囲である、請求項１又は２記載の乾式メダル清掃装置。
【請求項４】
上下一対のブラシローラのブラシ毛が、線径０．２〜０．３ｍｍの範囲で、そのブラシ毛を植毛密度が円周方向１ｃｍ当り８０〜１２０本となるように螺旋状に植毛したものである、請求項１又は２記載の乾式メダル清掃装置。
【請求項５】
メダル送り装置が、メダル投入口の下方位置にメダル排出口が側面に開口された筒体を設け、その筒体のメダル排出口の高さをメダルの２枚分の厚さ以下の高さに形成し、筒体の内部に回転盤をその上面がメダル排出口の底面と同じ高さになるように設けた構造である、請求項１〜４いずれか記載の乾式メダル清掃装置。
【請求項６】
回転盤が、上面にブラシ毛を植毛したブラシ盤であって、そのブラシ盤の上方位置にブラシ毛が下面に植毛された上側ブラシ盤を対向して設け、その上側ブラシ盤の中央部にメダル投入口と連通する開口を形成した、請求項５記載の乾式メダル清掃装置。
【発明の詳細な説明】
【技術分野】
【０００１】
本発明は、スロットマシン等の遊技に使用されるメダルの清掃装置に関し、詳しくは、洗浄水を用いることなくメダルの表面の凹凸模様や傷の窪みに溜まっている汚れを確実に除去できる技術に関する。
【背景技術】
【０００２】
従来の乾式メダル清掃装置が特許文献１で開示されている。この技術は、図９に示すように、メダル投入口２１の下方位置にメダルｍを搬送するベルトコンベヤ２２を設け、そのベルトコンベヤ２２の途中位置に重なったメダルｍをバラして一枚づつ通過させる整列ローラ２３を設け、ベルトコンベヤ２２の搬送先にメダルｍの表面の汚れを粘着力で吸着しながら送り出す上下一対の粘着ローラ２４を複数組設けたことを特徴としている。
【０００３】
ところで、メダルｍの表面には凹凸模様や使用中に形成された傷を有しているから、前記技術の粘着ローラ２４による吸着では大きなゴミや汚れは除去されるが、凹凸模様や傷の窪みに溜まっている手垢や金属粉等の汚れは粘着面が届き難いから除去が不十分であった。
【先行技術文献】
【特許文献】
【０００４】
【特許文献１】特開２００９−１４８６２９号公報
【発明の概要】
【発明が解決しようとする課題】
【０００５】
本発明が解決しようとする課題は、従来のこれらの問題点を解消し、洗浄水を用いることなく、メダルの表面の凹凸模様や傷の窪みに溜まっている手垢や金属粉等の汚れを確実に除去できる乾式メダル清掃装置を提供することにある。
【課題を解決するための手段】
【０００６】
かかる課題を解決した本発明の構成は、
１）  メダル投入口の下方位置に複数枚のメダルを重ならないようにして送り出すメダル送り装置を設け、そのメダル送り装置の送り先の搬送路位置にメダルの表面の汚れを掻き出す上下一対のブラシローラを設け、そのブラシローラの先方の搬送路位置に掻き出された汚れを吸着する上下一対の粘着ローラを設けた、乾式メダル清掃装置
２）  粘着ローラより粘着力の強い強粘着ローラを粘着ローラと接するように設けた、前記１）記載の乾式メダル清掃装置
３）  上下一対のブラシローラのブラシ毛が、線径０．４ｍｍ以下で、長さ５〜１３ｍｍの範囲である、前記１）又は２）記載の乾式メダル清掃装置
４）  上下一対のブラシローラのブラシ毛が、線径０．２〜０．３ｍｍの範囲で、そのブラシ毛を植毛密度が円周方向１ｃｍ当り８０〜１２０本となるように螺旋状に植毛したものである、前記１）又は２）記載の乾式メダル清掃装置
５）  メダル送り装置が、メダル投入口の下方位置にメダル排出口が側面に開口された筒体を設け、その筒体のメダル排出口の高さをメダルの２枚分の厚さ以下の高さに形成し、筒体の内部に回転盤をその上面がメダル排出口の底面と同じ高さになるように設けた構造である、前記１）〜４）いずれか記載の乾式メダル清掃装置
６）  回転盤が、上面にブラシ毛を植毛したブラシ盤であって、そのブラシ盤の上方位置にブラシ毛が下面に植毛された上側ブラシ盤を対向して設け、その上側ブラシ盤の中央部にメダル投入口と連通する開口を形成した、前記５）記載の乾式メダル清掃装置
にある。
【発明の効果】
【０００７】
本発明では、メダル投入口に投入された複数枚のメダルがメダル送り装置で重ならないようにして送り出され、その送り出されたメダルが搬送路の途中で上下一対のブラシローラにより両面が擦られ、凹凸模様や傷の窪みに溜まっている汚れが掻き出される。その後、掻き出された汚れが上下一対の粘着ローラで吸着されながら送り出される。よって、粘着ローラだけでは除去され難かった凹凸模様や傷の窪みの汚れまで確実に除去できるようになり、従来技術と比較して清掃能力が高いものとなる。
【図面の簡単な説明】
【０００８】
【図１】実施例の乾式メダル清掃装置の縦断面図である。
【図２】実施例の乾式メダル清掃装置の分解斜視図である。
【図３】実施例のブラシローラと粘着ローラの斜視図である。
【図４】実施例のブラシローラの説明図である。
【図５】実施例の乾式メダル清掃装置の使用状態を示す説明図である。
【図６】実施例のブラシローラのブラシ毛の動きを示す説明図である。
【図７】実施例の他の例の乾式メダル清掃装置の縦断面図である。
【図８】実施例の他の例の乾式メダル清掃装置の縦断面図である。
【図９】従来の乾式メダル清掃装置の縦断面図である。
【発明を実施するための形態】
【０００９】
本発明のブラシローラとしては、線径０．４ｍｍ以下、望ましくは０．２〜０．３ｍｍの範囲で、長さ５〜１３ｍｍのブラシ毛を植毛したものが、メダル表面の凹凸模様や傷の窪みに溜まった汚れを確実に掻き出せて好ましい。ブラシ毛は螺旋状に植毛すると、メダルの搬送方向に対してブラシ毛が斜めに移動することになり、その相対的な動きで摩擦が生じて清掃能力が向上する。植毛密度は円周方向１ｃｍ当り８０〜１２０本の範囲が実用的である。さらに、上下のブラシローラの回転数を異ならせるか、あるいはメダル送り装置によるメダルの送り速度とブラシローラの送り速度を異ならせると、その相対的な動きで摩擦を生じさせて清掃能力がさらに向上する。
【００１０】
粘着ローラとしては、ゴム系・アクリル系・シリコン系等の粘着剤が添加された硬質又は弾性を有する合成樹脂でローラ全体を構成したもの、基材ローラの表層を前記合成樹脂で構成したもの、基材ローラの外周面に前記粘着剤を塗布したもの、基材ローラの外周面に粘着テープを巻き付けたものなどがあり、特に洗浄により粘着力が回復して繰り返し使用できるものが望ましい。上下の粘着ローラ間の間隔はメダルの厚さよりやや小さくし、メダルの両面に粘着ローラが確実に接するようにする。あるいは、互いの粘着力で回転に影響を与えない程度に粘着ローラ同士を軽く接するようにしてもよい。粘着ローラより粘着力の強い強粘着ローラを粘着ローラと接するように設けると、粘着ローラの表面の汚れが強粘着ローラに転移して粘着ローラの粘着力が維持され、粘着ローラの交換頻度を少なくできて好ましい。強粘着ローラの材質としては、前記粘着ローラと同様のもので、粘着剤をより多く添加して粘着力を増したものが用いられる。ブラシローラと粘着ローラは、清掃能力に応じて１組又は複数組設けられる。
【００１１】
メダル送り装置としては、重なったメダルを遠心力で円周方向へ移行させながらバラして送り出す回転盤や、搬送面上に設けたローラで重なったメダルをバラしながら送り出すベルトコンベヤなど、メダルの両面を清掃できるように重なりをバラして送り出せる構造のものが用いられる。回転盤としては、ブラシ毛を植毛したブラシ盤を用い、そのブラシ盤と上方位置に対向して取り付けた別のブラシ盤とでメダルの両面を研磨しながら送り出せるようにしたものが、より清掃効果が向上して好ましい。
【実施例】
【００１２】
以下、本発明の実施例を図面に基づいて具体的に説明する。図１は実施例の乾式メダル清掃装置の縦断面図、図２は実施例の乾式メダル清掃装置の分解斜視図、図３は実施例のブラシローラと粘着ローラの斜視図、図４は実施例のブラシローラの説明図、図５は実施例の乾式メダル清掃装置の使用状態を示す説明図、図６は実施例のブラシローラのブラシ毛の動きを示す説明図である。
【００１３】
図中、１は乾式メダル清掃装置、２はメダル投入口、３は上側ブラシ盤、３ａはブラシ毛、３ｂは開口、４は下側ブラシ盤、４ａはブラシ毛、４ｂは軟質シート、５は筒体、５ａはメダル排出口、６は搬送路、７は排出口、８は回転軸、８ａは従動ローラ、９はモータ、９ａは駆動ローラ、１０は駆動ベルト、１１はブラシローラ、１１ａは芯材、１１ｂはブラシ毛、１１ｃはギヤ、１２は粘着ローラ、１２ａはギヤ、１３は回転軸、１３ａはギヤ、１３ｂは小ギヤ、１４はモータ、１４ａは駆動ギヤ、１５は駆動チェーン、１６は受皿、ｍはメダルである。
【００１４】
本実施例の乾式メダル清掃装置１は、図１，２に示すように、上部にすり鉢状のメダル投入口２を備え、そのメダル投入口２の下端にブラシ毛３ａが下面に植毛され開口３ｂが中央部に形成された上側ブラシ盤３を取り付けている。メダル投入口２の下方位置にはメダル排出口５ａが側面に開口された筒体５を取り付け、その筒体５の内部にブラシ毛４ａが上面に植毛された下側ブラシ盤４を回転自在に配置している。筒体５の底面中央部は開口して下側ブラシ盤４と回転軸８とを軸着し、その回転軸８の従動ローラ８ａとモータ９の駆動ローラ９ａとの間に駆動ベルト１０を掛架している。
【００１５】
下側ブラシ盤４は、そのブラシ毛４ａの毛先及び軟質シート４ｂの上面がメダル排出口５ａの底面と同じ高さになるように配置している。軟質シート４ｂは摩擦を有する材質で構成され、メダルｍがブラシ毛４ａ上で滑らないようにするために設けられるものである。ブラシ毛３ａ，４ａ間の間隔は、メダルｍの厚さよりやや小さい間隔としている。メダル排出口５ａは、メダルｍの２枚分の厚さ以下の高さに形成し、メダルｍが重なったまま排出されようとした場合に、メダル排出口５ａの上壁で遮られて一枚づつ排出されるようになっている。メダル排出口５ａの幅は、複数枚のメダルｍが同時に排出できる幅に形成している。
【００１６】
搬送路６の途中位置には上下一対の１組のブラシローラ１１と上下一対の２組の粘着ローラ１２を搬送方向に沿って設け、その粘着ローラ１２の送り出し先に清掃済みのメダルｍを排出する排出口７を開口している。ブラシローラ１１と粘着ローラ１２の軸端には、図３に示すようにギヤ１１ｃ，１２ａを取り付け、下側のブラシローラ１１と粘着ローラ１２の直下位置にギヤ１３ａを備えた回転軸１３を配置し、上下のギヤ１１ｃ，１２ａ，１３ａ同士を互いに歯合している。また、回転軸１３の軸端には小ギヤ１３ｂを取り付け、その小ギヤ１３ｂとモータ１４の駆動ギヤ１４ａとの間に駆動チェーン１５を掛架して連動できるようにしている。ブラシローラ１１と粘着ローラ１２は、縦長の軸受（図示せず）に上方から取り外し可能に挿入してギヤ１１ｃ，１２ａ，１３ａ同士を歯合する構造にし、整備時に容易に交換できるようにしてもよい。
【００１７】
ブラシローラ１１は、図４に示すように、芯材１１ａの周面に線径０．２ｍｍで且つ長さ８ｍｍのナイロン樹脂製のブラシ毛１１ｂを植毛密度が円周方向１ｃｍ当り１００本となるように螺旋状に植毛し、上下対向するブラシ毛１１ｂの毛先同士がほぼ接触する位置に軸支している。下側のブラシローラ１１と粘着ローラ１２の下方位置には、落下したゴミを受ける受皿１６を設けている。メダルｍは厚さ１．６ｍｍ、外径２５ｍｍ、凹凸の窪みの深さは約０．３ｍｍである。
【００１８】
本実施例では、モータ９，１４を作動させると、下側ブラシ盤４とブラシローラ１１と粘着ローラ１２が回転する。図５に示すように、汚れたメダルｍをメダル投入口２へ投入すると、下側ブラシ盤４の回転でブラシ毛３ａ，４ａ間に進入して水平の姿勢になり、ブラシ毛３ａ，４ａで両面が研磨されながら遠心力で円周方向へ移行し、メダル排出口５ａから一枚づつ（幅方向は複数枚が同時に）排出される。除去された大きなゴミや汚れは下側ブラシ盤４の周縁から筒体５の底部に落下する。
【００１９】
排出されたメダルｍは上下一対のブラシローラ１１間に進入し、図６に示すように、ブラシ毛１１ｂがメダルｍに接触して変形しながらメダルｍの表面を押圧し、毛先が凹凸模様や傷の窪みに当たる。メダルｍはブラシローラ１１の回転力で搬送されてブラシローラ１１を通過し、ブラシ毛１１ｂがメダルｍの表面から離れる際、ブラシ毛１１ｂの反発力で毛先が凹凸模様や傷の窪みから跳ねるように離れて汚れが掻き出される。掻き出された汚れはブラシ毛１１ｂに付着するか、メダルｍの表面に再付着するか、又は受皿１６に落下する。
【００２０】
その後、上下一対の粘着ローラ１２間に進入し、メダルｍの表面に再付着した掻き出し済みの汚れが吸着され、排出口７へ送り出されて排出される。粘着ローラ１２に吸着された汚れは粘着力で吸着したままとなるが、剥離した場合は受皿１６に落下する。このように、本実施例によれば、粘着ローラ１２だけでは除去され難かった凹凸模様や傷の窪みの汚れまで確実に除去できるようになり、従来技術と比較して清掃能力が高いものとなった。
【００２１】
図７に示すのは、強粘着ローラを設けた実施例の乾式メダル清掃装置の他の例である。図７は実施例の他の例の乾式メダル清掃装置の縦断面図である。図中、１７は強吸着ローラである。この例では、粘着ローラ１２より強い粘着力を示す小径の強粘着ローラ１７を粘着ローラ１２と接するように設けている。これにより、粘着ローラ１２に吸着された汚れは強吸着ローラ１７に転移されて粘着ローラ１２の粘着力が維持され、粘着ローラ１２の交換頻度を少なくできる。強粘着ローラ１７は直接駆動してもよいし、互いの粘着力又は圧接による摩擦で粘着ローラ１２の回転に従動させてもよい。その他、符号、構成、作用効果は実施例と同じである。
【００２２】
図８に示すのは、下側ブラシ盤に代えて平板状の回転盤を用いた実施例の乾式メダル清掃装置の他の例である。図８は実施例の他の例の乾式メダル清掃装置の縦断面図である。図中、１８は回転盤、１８ａは軟質シートである。この例では、実施例の上側ブラシ盤３を省略するとともに、下側ブラシ盤４に代えて滑り止めの軟質シート１８ａを上面に備えた平板状の回転盤１８を取り付けている。さらに、粘着ローラ１２を１組にしてブラシローラ１１を２組設け、メダルｍの汚れは大きなゴミも含めて２組のブラシローラ１１で除去するようにしている。この例は、メダルｍの清掃枚数が比較的少ない場合に用いられ、構造が簡易で低コストにて実施できる。その他、符号、構成、作用効果は実施例と同じである。
【産業上の利用可能性】
【００２３】
本発明の技術は、スロットマシン等の遊技に使用されるメダルの他、硬貨やこれに類似する形状の物品の清掃に利用できる。
【符号の説明】
【００２４】
１  乾式メダル清掃装置
２  メダル投入口
３  上側ブラシ盤
３ａ  ブラシ毛
３ｂ  開口
４  下側ブラシ盤
４ａ  ブラシ毛
４ｂ  軟質シート
５  筒体
５ａ  メダル排出口
６  搬送路
７  排出口
８  回転軸
８ａ  従動ローラ
９  モータ
９ａ  駆動ローラ
１０  駆動ベルト
１１  ブラシローラ
１１ａ  芯材
１１ｂ  ブラシ毛
１１ｃ  ギヤ
１２  粘着ローラ
１２ａ  ギヤ
１３  回転軸
１３ａ  ギヤ
１３ｂ  小ギヤ
１４  モータ
１４ａ  駆動ギヤ
１５  駆動チェーン
１６  受皿
１７  強粘着ローラ
１８  回転盤
１８ａ  軟質シート
２１  メダル投入口
２２  ベルトコンベヤ
２３  整列ローラ
２４  粘着ローラ
ｍ  メダル
【図１】
2011067257.tif 000003
【図２】
2011067257.tif 000004
【図３】
2011067257.tif 000005
【図４】
2011067257.tif 000006
【図５】
2011067257.tif 000007
【図６】
2011067257.tif 000008
【図７】
2011067257.tif 000009
【図８】
2011067257.tif 000010
【図９】
2011067257.tif 000011